(57)【要約】【課題】切開時の状態が実際の血管の場合と近く、かつ、２つの血管を吻合させる手技、特に血管の側面と側面を吻合させる手技等の様々な手技の訓練に広く使用できる擬似血管を提供することを課題とする。【解決手段】本発明は、円筒形状のチューブからなり、外周面側において周方向の引張応力が働き、内周面側において周方向に圧縮応力が働くことを特徴とする擬似血管１である。【選択図】図１
2012215818.tif 000002
【特許請求の範囲】
【請求項１】
円筒形状のチューブからなり、外周面側において周方向に引張応力が働き、内周面側において周方向に圧縮応力が働くことを特徴とする擬似血管。
【請求項２】
前記円筒形状のチューブは、円筒状のチューブを裏返して外周面と内周面を反転させてなるチューブであることを特徴とする請求項１に記載の擬似血管。
【請求項３】
前記円筒形状のチューブは、前記内周面の断面からなる内周円の中心が前記外周面の断面からなる外周円の中心に対して所定方向にずれていることにより、チューブの厚さが、所定方向の一方側が肉薄となるとともに他方側が肉厚となっていることを特徴とする請求項２に記載の擬似血管。
【請求項４】
前記外周円と前記内周円とが前記所定方向に長い楕円形であることを特徴とする請求項３に記載の擬似血管。
【請求項５】
前円筒形状のチューブは、シート部材を円筒形状となるように反らせるとともに、シート部材の両端を接着してなるチューブであることを特徴とする請求項１に記載の擬似血管。
【請求項６】
外周面又は内周面にスリットを備えることを特徴とする請求項１乃至請求項５のいずれか１項に記載の擬似血管。
【請求項７】
前記擬似血管は、前記チューブの外周面を被覆する外層又は内周面を被覆する内層をさらに備え、
前記チューブの厚さは、前記外層又は内層の厚さ分だけ薄く形成されていることを特徴とする請求項１乃至請求項６のいずれか１項に記載の擬似血管。
【請求項８】
中空部を有する円筒形状のチューブである第１チューブと、
前記第１チューブの内径よりも大きい外径である円筒形状のチューブであって、前記第１チューブの中空部に接触して配置された第２チューブと、を備え、
前記第１チューブにおいて周方向に引張応力が働き、前記第２チューブにおいて周方向に圧縮応力が働く
ことを特徴とする擬似血管。
【請求項９】
請求項２乃至請求項４のいずれか１項に記載の擬似血管の製造方法であって、
円筒形状のチューブを、その一端から裏返して外周面と内周面を反転させる工程を含む
ことを特徴とする擬似血管の製造方法。
【請求項１０】
請求項５に記載の擬似血管の製造方法であって、
シート部材を円筒形状となるように反らせる工程と、
円筒形状に反った前記シート部材の両端部を接着する工程と、を含む、
ことを特徴とする擬似血管の製造方法。
【請求項１１】
請求項８に記載の擬似血管の製造方法であって、
前記第１チューブの中空部を広げる工程と、
前記中空部を広げた第１チューブに、外径が前記第１チューブの内径よりも大きい前記第２チューブを内挿する工程と、を含む
ことを特徴とする擬似血管の製造方法。
【発明の詳細な説明】
【技術分野】
【０００１】
本発明は、外科手術の訓練に用いる擬似血管に関する。
【背景技術】
【０００２】
従来から、医師は、外科手術において、血管の切開、その切開部の縫合、血管同士の吻合などの手技を行うことがある。例えば、心臓の冠状動脈の一部が狭窄した場合、医師は、その患者の他の部位から動脈の一部をグラフト（代替血管）として切り出し、そのグラフトを用いて、狭窄箇所を回避する血流路を確保するための血管バイパス手術を行う。
【０００３】
このような手術には、高度に熟練した技術が求められる。そこで、医師は、円筒形状のチューブからなる擬似血管を用いて手技の訓練を行うことがある。なお、実際の血管では、血管壁を軸方向に切開すると、その切開部が周方向に拡開し、盛り上がる。しかし、通常のチューブからなる擬似血管では、その血管壁を軸方向に切開した場合、スリットができるだけで、切開部が周方向に拡開しない。そして、訓練用の擬似血管としては、当然、切開時に実際の血管の場合と近い状態となるものが望まれる。
【０００４】
そこで、例えば、特許文献１では、擬似血管（血管モデル）の一部を埋設した台座に、その擬似血管を外側に引っ張る残留応力を存在させることで、血管壁を軸方向に切開するとその切開部が周方向に拡開するという、実際の血管に近い擬似血管を実現している。
【先行技術文献】
【特許文献】
【０００５】
【特許文献１】特許第４３２６０１１号公報
【発明の概要】
【発明が解決しようとする課題】
【０００６】
しかしながら、特許文献１の擬似血管は、擬似血管が台座に埋設された状態で使用されるので、その擬似血管を切開したり縫合したりする手技の訓練には有用であるが、例えば、２つの血管を吻合させる手技、特に血管の側面と側面を吻合させる手技の訓練には、台座が邪魔となって用いることができない。
【０００７】
そこで、本発明は、このような問題に鑑みてなされたものであり、切開時の状態が実際の血管の場合と近く、かつ、２つの血管を吻合させる手技、特に血管の側面と側面を吻合させる手技等の様々な手技の訓練に広く使用できる擬似血管およびその擬似血管の製造方法を提供することを課題とする。
【課題を解決するための手段】
【０００８】
前記課題を解決するために、本発明は、円筒形状のチューブからなり、外周面側において周方向に引張応力が働き、内周面側において周方向に圧縮応力が働くことを特徴とする擬似血管である。
【０００９】
このように、外周面側において周方向に引張応力が働き、内周面側において周方向に圧縮応力が働くことで、この擬似血管の血管壁を軸方向に切開すると、その切開部が周方向に拡開し、盛り上がる。したがって、切開時の状態が実際の血管の場合と近く、かつ、台座等が必要ないので２つの血管を吻合させる手技、特に血管の側面と側面を吻合させる手技等の様々な手技の訓練に広く使用できる擬似血管を提供することができる。
【００１０】
また、このような擬似血管は、例えば、円筒形状のチューブを、その一端から裏返して外周面と内周面を反転させる工程を含む製造方法により製造できる。
【００１１】
このようにして製造することで、外周面側において周方向に引張応力が働き、内周面側において周方向に圧縮応力が働く擬似血管を実現することができる。
【００１２】
また、このような擬似血管に用いられる円筒形状のチューブは、円筒状のチューブを裏返して、外周面と内周面を反転させてなるチューブであってもよい。
【００１３】
このようなチューブであれば、外周面側において周方向に引張応力が働き、内周面側において周方向に圧縮応力が働く。したがって、血管壁を軸方向に切開すると、その切開部が周方向に拡開し、盛り上がる擬似血管を提供することができる。
【００１４】
また、前述する円筒形状のチューブは、前記内周面の断面からなる内周円の中心が前記外周面の断面からなる外周円の中心に対して所定方向にずれていることにより、チューブの厚さが、所定方向の一方側が肉薄となるとともに他方側が肉厚となっているチューブであってもよい。
【００１５】
このようなチューブを裏返して外周面と内周面を反転させた場合、チューブ内に存在する残留応力は、チューブの一方側の肉薄部分に比べて、チューブの他方側である肉厚部分の方が大きい。
そのため、肉薄部分であるチューブの一方側を切開すると、通常のチューブを切開した場合に比べて、切開部の拡開が大きくなる。したがって、チューブの材料を変更しなくても、切開部の拡開が大きい擬似血管を提供することができる。
【００１６】
また、円筒形状のチューブについて、前述するようにチューブの厚さが所定方向の一方側が肉薄となるとともに他方側が肉厚となっているチューブの場合に、外周円と内周円とが前記所定方向に長い楕円形であってもよい。
【００１７】
チューブの厚さが所定方向の一方側が肉薄となるとともに他方側が肉厚となっているチューブの場合、チューブ内に存在する残留応力は、チューブの一方側の肉薄部分に比べて、チューブの他方側である肉厚部分の方が大きい。そのため、反転させた場合にチューブが所定方向に直交する方向に広がってしまい、擬似血管が真円とならないおそれがある。
よって、当初から真円ではない、外周面と内周面が所定方向に長い楕円形のチューブを用いることによって、反転させた場合に所定方向に直交する方向に広がって略真円となる擬似血管を提供することができる。
【００１８】
また、円筒形状のチューブは、シート部材を円筒形状となるように反らせるとともに、シート部材の両端を接着してなるチューブであってもよい。
【００１９】
このようなシート部材により円筒形状のチューブを形成すれば、外周面側において周方向に引張応力が働き、内周面側において周方向に圧縮応力が働く擬似血管を提供することができる。
また、たとえば、一方側に反ったシート部材を用いれば、チューブに働く引張応力と圧縮応力とを変更できる。したがって、チューブの材料を変更しなくても、切開部の拡開の程度、及び盛り上がりの程度が調整された擬似血管を提供することができる。
【００２０】
なお、このような擬似血管は、シート部材を円筒形状となるように反らせる工程と、円筒形状に反ったシート部材の両端部を接着する工程と、を含む製造方法により製造できる。
【００２１】
また、前述する擬似血管が外周面又は内周面にスリットを備えていてもよい。
【００２２】
これによれば、スリットが外周面側において働く引張応力、又は、内周面側において働く圧縮応力を弱める。したがって、チューブの材料を変更しなくても、切開部の拡開の程度、又は盛り上がりの程度を小さく抑えた擬似血管を提供することができる。
【００２３】
また、擬似血管は、チューブの外周面を被覆する外層又は内周面を被覆する内層をさらに備えており、チューブの厚さは、外層又は内層の厚さ分だけ薄く形成されていてもよい。
【００２４】
前記する擬似血管によれば、実際の血管構造の外膜又は内膜に相当する外層又は内層を備えるため、実際の血管を切開する状態に近い感触を体験することができる。
また、外層又は内層の厚さ分だけ厚さが薄いチューブを使用するため、チューブに働く引張応力と圧縮応力が弱まる。さらに、残留応力が存在しない外層又は内層により擬似血管全体としての引張応力と圧縮応力が弱まる。したがって、チューブの材料を変更させなくても、切開部の拡開の程度、及び盛り上がりの程度を小さく抑えた擬似血管を提供することができる。
【００２５】
また、本発明は、中空部を有する円筒形状のチューブである第１チューブと、前記第１チューブの内径よりも大きい外径を有する円筒形状のチューブであって、前記第１チューブの中空部に接触して配置された第２チューブと、を備え、第１チューブにおいて周方向に引張応力が働き、第２チューブにおいて周方向に圧縮応力が働くことを特徴とする擬似血管である。
【００２６】
このように、第１チューブにおいて周方向に引張応力が働き、第２チューブにおいて周方向に圧縮応力が働くことで、この擬似血管の血管壁を軸方向に切開すると、その切開部が周方向に拡開し、盛り上がる。したがって、切開時の状態が実際の血管の場合と近く、かつ、台座等が必要ないので２つの血管を吻合させる手技、特に血管の側面と側面を吻合させる手技等の様々な手技の訓練に広く使用できる擬似血管を提供することができる。
【００２７】
また、このような擬似血管は、例えば、第１チューブの中空部を広げる工程と、中空部を広げた第１チューブに、外径が第１チューブの内径よりも大きい第２チューブを内挿する工程と、を含む製造方法により製造できる。
【００２８】
このようにして製造することで、第１チューブにおいて周方向に引張応力が働き、第２チューブにおいて周方向に圧縮応力が働く擬似血管を実現することができる。
【発明の効果】
【００２９】
本発明によれば、切開時の状態が実際の血管の場合と近く、かつ、２つの血管を吻合させる手技、特に血管の側面と側面を吻合させる手技等の様々な手技の訓練に広く使用できる擬似血管を提供することができる。
【図面の簡単な説明】
【００３０】
【図１】（ａ）は本実施形態の擬似血管の斜視図であり、（ｂ）は（ａ）のＡ−Ａ端面図であり、（ｃ）はその擬似血管が切開された様子を示す斜視図であり、（ｄ）は（ｃ）のＢ−Ｂ端面図である。
【図２】(ａ)〜(ｅ)は、通常のチューブを、外周面と内周面を反転させることで擬似血管とする場合の製造の各工程を示す斜視図である。
【図３】（ａ）は本実施形態の第１チューブの斜視図であり、（ｂ）は第１チューブの中空部を広げた場合の様子を示す斜視図であり、（ｃ）は中空部を広げた第１チューブに第２チューブを内挿する直前の様子を示す斜視図であり、（ｄ）は第１チューブに第２チューブを内挿した様子を示す斜視図であり、（ｅ）は（ｄ）のＣ−Ｃ端面図である。
【図４】（ａ）は比較例の擬似血管の斜視図であり、（ｂ）は（ａ）のＤ−Ｄ端面図であり、（ｃ）はその擬似血管が切開された様子を示す斜視図であり、（ｄ）は（ｃ）のＥ−Ｅ端面図である。
【図５】（ａ）は変更例１の擬似血管の斜視図であり、（ｂ）は変更例１の擬似血管を軸線方向から見た図であり、（ｃ）は変更例１に用いられたチューブの反転前を軸線方向から見た図であり、（ｄ）は変更例２の擬似血管を軸線方向から見た図であり、（ｅ）は変更例２に用いられたチューブの反転前を軸線方向から見た図である。
【図６】（ａ）は変更例３の擬似血管を軸線方向から見た図であり、（ｂ）は変更例３に用いられた反転前のチューブを軸線方向から見た図である。
【図７】（ａ）は変更例４の擬似血管の斜視図であり、（ｂ）は（ａ）のＦ−Ｆ端面図である。
【図８】(ａ)〜(ｄ)は、平坦な又は湾曲したシート部材を反らせることによって、擬似血管を製造する各工程を示す斜視図である。
【発明を実施するための形態】
【００３１】
以下、本発明を実施するための形態（以下、実施形態と称する。）について、図面を参照しながら説明する。
【００３２】
理解を容易にするために、まず、比較例として、従来の擬似血管の一例について説明する。図４（ａ）（ｂ）に示すように、比較例の擬似血管１０１は、円筒形状のチューブからなり、内部に中空部１０２を有している。擬似血管１０１の材質は、実際の血管と同程度の柔軟性や強度を有するものであり、例えば、シリコーンやポリビニルアルコールである。なお、擬似血管１０１では、どの部分にも、周方向の残留応力は特に存在しない。
【００３３】
このような擬似血管１０１の血管壁をメス等の切開器具によって軸方向に切開すると、図４（ｃ）（ｄ）に示すように、スリット状の切開部１０３ができるだけで、その切開部１０３は周方向に拡開しない。
【００３４】
（第１実施形態）
次に、第１実施形態の擬似血管１について説明する。図１（ａ）に示すように、本実施形態の擬似血管１は、円筒形状のチューブからなり、内部に中空部２を有している。擬似血管１の材質は、実際の血管と同程度の柔軟性や強度を有するものであれば特に限定されないが、例えば、シリコーンやポリビニルアルコールであればよい。また、擬似血管１の外径と厚さは、実際の動脈等の血管のサイズを考慮し、例えば、冠動脈を想定した場合、外径が０．５〜３．５ｍｍ程度、厚さが０．１〜１．０ｍｍ程度とすればよく、模擬する動脈等の脈管の解剖学的な形状に基づいて、外形、厚みを設定すればよい。
【００３５】
図１（ｂ）に示すように、擬似血管１では、外周面側において周方向に引張応力が働き、内周面側において周方向に圧縮応力が働く。つまり、破線部分を基準にした場合、外周面側では、周方向の引張応力として矢印ａの向きの力が働いているが、内周面側では、周方向の圧縮応力として矢印ｂの向きの力が働いている。
【００３６】
このような擬似血管１の血管壁をメス等の切開器具によって軸方向に切開すると、図１（ｃ）（ｄ）に示すように、実際の血管の場合と同様、切開部３が周方向に拡開し、盛り上がる。
したがって、医師は、この擬似血管１を用いることで、血管の切開、その切開部の縫合のほか、台座等がないことで２つの血管の吻合、特に血管の側面と側面との吻合の訓練を行うことができる。
【００３７】
次に、擬似血管１の製造方法について説明する。製造方法は、通常のチューブを、外周面と内周面を反転させることで擬似血管１とする方法である。
図２に示すように、中空部１２を有する通常のチューブ１１（図４の擬似血管１０１と同様のチューブ）について（図２（ａ）参照）、一端から徐々に裏返していくことによって（図２（ｂ）〜（ｄ）参照）、擬似血管１を製造することができる（図２（ｅ）参照）。つまり、このようにして製造することで、外周面側において周方向に引張応力が働き、内周面側において周方向に圧縮応力が働く擬似血管１（図１（ｂ）参照）を実現することができる。なお、この製造は手動でも自動でもいずれでもよい。また、図２では内側から外側に向けて反転させる一例を示したが、これとは逆に外側から内側に向けて反転させるようにしてもよい。
【００３８】
（第２実施形態）
次に、第２実施形態の擬似血管１ａについて説明する。擬似血管１ａは、図３（ｄ）に示すように、第１チューブ２１と第２チューブ３１との二つのチューブを組み合わせて構成される。
【００３９】
第１チューブ２１と第２チューブ３１のそれぞれは、中空部２２、３２が形成されており、また、通常のチューブ（図４の擬似血管１０１と同様のチューブ）であって、どの部分にも、周方向の残留応力は特に存在していないものである。
そして、第２チューブ３１は、第１チューブ２１の内径よりも大きい外径を有するように形成されている。そして、第１チューブ２１の中空部２２内に第２チューブ３１が接触して配置されることにより、第２実施形態に係る擬似血管１ａが構成されている。
【００４０】
擬似血管１ａの構成によれば、擬似血管１ａの外周面側にある第１チューブ２１は、内周面側にある第２チューブ３１によって、径方向の外側に押圧されて、図３（ｅ）に示すように、周方向に引張応力が働く。一方で、擬似血管１ａの内周面側にある第２チューブ３１は、外周面側にある第１チューブ２１によって、径方向の内側に押圧されて、図３（ｅ）に示すように、内周面側において周方向に圧縮応力が働くこととなる。よって、この擬似血管１ａを切開すれば、第１実施形態の擬似血管１と同様に、切開部が周方向に拡開し、盛り上がる。
【００４１】
続いて、擬似血管１ａの製造方法について説明する。擬似血管１ａの製造方法では、まず、通常のチューブ（図４の擬似血管１０１と同様のチューブ）である第１チューブ２１（図３（ａ）参照）の中空部２２を、外部装置（不図示）による第１チューブ２１の外周面の吸着および引張、もしくは、中空部２２への円筒形部材（不図示）の挿入等によって、広げる（図３（ｂ）参照）。
【００４２】
なお、第１チューブ２１と第２チューブ３１の外径と厚さは、例えば、冠動脈を想定した場合、ともに、外径が０．５〜３．５ｍｍ程度、厚さが０．０５〜０．９５ｍｍ程度であればよい。ただし、第２チューブ３１の外径が第１チューブ２１の内径よりも大きければ、第１チューブ２１と第２チューブ３１の外径や厚さが異なっていてもよく、例えば、冠動脈を想定した場合、第１チューブ２１と第２チューブ３１から実現される擬似血管１ａ（１）の外径が０．５〜３．５ｍｍ程度、厚さが０．１〜１．０ｍｍ程度となればよい。
【００４３】
次に、中空部２２を広げた第１チューブ２１に、通常のチューブ（図４の擬似血管１０１と同様のチューブ）であって中空部３２を有する第２チューブ３１を内挿（内側に挿入）し、さらに、第２チューブ３１の外周面と第１チューブ２１の内周面を接着処理する（図３（ｃ）（ｄ）参照）。
また、第２チューブ３１を折り畳んで第１チューブ２１に内挿した後、第２チューブ３１を広げ、第２チューブ３１の外周面と第１チューブ２１の内周面を接着処理してもよい。
【００４４】
このようにして製造することで、第１チューブにおいて周方向に引張応力が働き、第２チューブにおいて周方向に圧縮応力が働く擬似血管１ａ、すなわち、外周面側において周方向に引張応力が働き、内周面側において周方向に圧縮応力が働く擬似血管１ａを実現することができる（図３（ｄ）（ｅ）参照）。
【００４５】
なお、擬似血管１ａの中空部２ａ（３２）は、第１チューブ２１に内挿される前の第２チューブ３１における中空部３２（図３（ｃ）参照）と比較して、第１チューブ２１の内周面から受ける圧力のため、軸方向に垂直な面の断面積が少し小さくなっており、逆に第１チューブ２１の外径は大きくなっている。また、この製造は手動でも自動でもいずれでもよい。また、接着処理は必須ではなく、状況に応じてその処理の有無を使い分ければよい。
【００４６】
さらに、第２チューブを第１チューブに内挿する際、第１チューブを広げるのではなく、第２チューブの外径が小さくなるように圧縮してもよく、また、第１チューブを広げるとともに、第２チューブを圧縮してもよい。
【００４７】
そのほか、本発明の態様はこれらに限定されるものではない。例えば、擬似血管１は、直線状のものに限らず、曲線状のものや、分岐を有するものであってもよい。
【００４８】
また、擬似血管１の断面の形状は、円に限らず、楕円等の他の形状であってもよい。
さらに、１つめの方法におけるチューブは、多層であってもよく、また、その場合に各層が異なる素材からなるものであってもよい。
【００４９】
さらに、２つめの方法では２つのチューブを用いたが、本発明はこれに限らず、３つ以上のチューブを用いてもよい。ただし、その際は少なくとも１つのチューブを広げる、もしくは圧縮しなければ挿入できないチューブの組み合わせであることが条件となる。
【００５０】
以上、切開部を切開した場合、切開部が周方向に拡開して、盛り上がる擬似血管１、１ａについて説明したが、この擬似血管１、１ａによれば、切開部における拡開の程度と盛り上がりの程度とは、チューブを構成する樹脂材料の弾性力によって決まるところが大きい。なお、実際の動脈等の脈管を切開した場合、切開部における拡開の程度と盛り上がりの程度は、脈管ごとに異なるものである。よって、擬似血管の切開部における拡開の程度と盛り上がりの程度は、模擬する脈管と同程度となることが望ましい。
よって、以下においては、チューブを構成する樹脂材料を変更することなく、切開部における拡開の程度と盛り上がりの程度が調整された擬似血管１ｂ〜１ｅについて説明する。
【００５１】
（変更例１）
まず、第１実施形態の擬似血管１の変更例である擬似血管１ｂについて説明する。
擬似血管１ｂは、図５（ａ）及び（ｂ）に示すように、裏返すことにより外周面と内周面とが反転したチューブ４０を用いるとともに、その反転後のチューブ４０の外周面に、３つのスリット４１が形成された擬似血管である。なお、チューブ４０は、第１実施形態の擬似血管１を構成するチューブであり、詳細な説明は省略する。
【００５２】
このスリット４１は、図５（ａ）に示すように、チューブ４０の中心軸に対し平行となるよう直線状に形成されている。また、スリット４１の深さは、図５（ｂ）に示すように、チューブ４１の厚さの半分以下となるように形成されている。
【００５３】
この擬似血管１ｂによれば、チューブ４０の外周面に形成された３つのスリットが、チューブ４０の外周面側で働く引張応力（図１（ｂ）参照）を低減させる。よって、スリット４１が形成されていない擬似血管１に比べて、切開部の拡開の程度を小さくすることができる。
【００５４】
一方で、擬似血管１ｂの内周面には、スリット４１が形成されていない。そのため、擬似血管１ｂの内周面側の周方向に働く圧縮応力は、擬似血管１と同じであり、開口時の盛り上がりの程度が同等となる。
以上より、擬似血管１ｂによれば、切開時の盛り上がりの程度を維持しつつ、擬似血管１に比べて、切開部の拡開を抑えることが可能となる。
【００５５】
なお、擬似血管１ｂの製造方法について、チューブ４０の内周面と外周面を反転させた後、反転後のチューブ４０の外周面にスリット４１を形成することにより製造できる。
または、図５（ｃ）に示すように、残留応力が存在しない状態のチューブ４０の内周面に、３つのスリット４１を形成してから、チューブ４０の内周面と外周面を反転させることによっても、擬似血管１ｂを製造することができる。
【００５６】
さらに、擬似血管１ｂについては、チューブ４０の外周面に形成されるスリット４１の深さ、幅、数を変更することによっても、切開部の拡開の程度を調整することができる。
具体的には、切開部の拡開の程度をより小さく調整したい場合には、スリット数を増加させること、スリットの深さをより深くすること、スリットの幅を大きくすることによって、切開部の拡開の程度を小さくすることができる。
【００５７】
そのほか、前述したスリット４１は、擬似血管１ｂによれば、直線状であって、かつ、チューブ４０の中心軸に平行となるように形成されているが、本発明はこれに限るものでない。チューブ４０の周方向に働く引張応力を弱めることができれば、スリット４１は、直線状でなくてもよく、また、チューブ４０の中心軸に対して平行でなくてもよい。
【００５８】
なお、スリット４１の深さがチューブの厚さの半分以下となるように形成されているのは、引張応力が存在する部分が、チューブ４０の厚さの半分までだからである（図１（ｂ）参照）。
【００５９】
（変更例２）
つぎに、図５（ｄ）に示すように、第１実施形態の擬似血管１の変更例であって、切開部の盛り上がりを抑えた擬似血管１ｃについて説明する。
擬似血管１ｃは、図５（ｄ）に示すように、裏返すことにより外周面と内周面とが反転したチューブ５０を用いるとともに、その反転後のチューブ５０の内周面に、３つのスリット５１が形成された擬似血管である。
なお、このスリット５１は、チューブ５０の中心軸に対し平行になるよう直線状に形成されたものであって、かつ、深さがチューブ５１の厚さの半分以下となるように形成されている。また、チューブ５０は、第１実施形態の擬似血管１を構成するチューブであり、詳細な説明は省略する。
【００６０】
擬似血管１ｃによれば、スリット５１がチューブの内周面側に働く圧縮応力を低減させるため、スリット５１が形成されていない擬似血管１に比べて、切開部の盛り上がりを小さく抑えることができる。一方で、擬似血管１ｃの外周面側には、スリット５１が形成されていないため、擬似血管１ｃの外周面側に働く引張応力は、擬似血管１と同じであり、切開時の拡開の程度が同等となる。
以上、擬似血管１ｃによれば、切開部の拡開の程度を維持しつつ、擬似血管１に比べて、切開部の盛り上がりを抑えることが可能となる。
【００６１】
なお、擬似血管１ｃの製造方法については、チューブ５０の内周面と外周面を反転させた後に、チューブ５０の内周面にスリット５１を形成することにより製造できる。また、図５（ｅ）に示すように、反転させる前のチューブ５０の外周面に３つのスリット４１を形成してから、内周面と外周面とを反転させることによっても、擬似血管１ｃを製造することができる。なお、スリット５１は、変更例１のスリット４１と同様に、深さ、幅、数を変更することによっても、切開部の程度を調整することができ、直線状に限られず、チューブ５０の中心軸に対して平行でなくてもよい。
【００６２】
（変更例３）
つぎに、図６（ａ）に示すように、不均一な厚みからなるチューブ６０からなる擬似血管１ｄについて説明する。
【００６３】
まず、擬似血管１ｄの製造方法から説明する。図６（ｂ）は、擬似血管１ｄに用いられるチューブ６０の断面図を示したものである。
図６（ｂ）に示すように、チューブ６０は、チューブ６０の外周面の断面からなる外周円が上下方向に長い楕円形（以下、単に「外周円」という。）となっており、かつ、チューブ６０の内周面の断面からなる内周円も上下方向に長い楕円形（以下、単に「内周円」という。）となっている。
【００６４】
そして、チューブ６０は、外周円の中心に対して、内周円の中心が上方にあるように形成されており、上方から下方に向かって、チューブ６０の厚みが次第に肉厚となるように形成されている。なお、チューブ６０の上部の厚さは、模擬する動脈等の脈管の厚さとなるように形成されている。
【００６５】
つぎに、チューブ６０を裏返して外周面と内周面を反転させることによって、図６（ａ）に示すように、外周円と内周円とが略真円となった擬似血管１ｄが製造される。
なお、擬似血管１ｄによれば、下部側が最も厚みが大きいため、チューブ６０の他の部位に比べて、下部側に生じる残留応力は大きいものとなる。そのため、図６（ｂ）に示すチューブ６０を反転すると、下部チューブ６０の下部側の残留応力により、左右方向に広がって、図６（ａ）に示すように、チューブ６０が略真円となる。
【００６６】
以上、擬似血管１ｄの製造方法について説明したが、この製造方法によれば、第１実施形態の擬似血管１と比較して、下部側に強い残留応力が存在する擬似血管１ｄを製造できる。
そして、擬似血管１ｄにおいて、模擬する動脈等の脈管の厚さとなるように形成された上部側を切開すると、下部側に存在する強い残留応力によって、第１実施形態の擬似血管１に比べて、切開部の拡開が大きくなる。よって、擬似血管１ｄによれば、擬似血管１に比べて、切開部の拡開の程度を大きくすることが可能となる。
【００６７】
（変更例４）
つぎに、第１実施形態の擬似血管１の変更例である擬似血管１ｅについて説明する。擬似血管１ｅは、図７（ａ）に示すように、チューブ７０と、そのチューブ７０の外周面側を被覆する外層７１との２層構造からなる。
【００６８】
チューブ７０は、第１実施形態で説明した擬似血管１と同じ製造方法であって、裏返して外周面と内周面を反転させることにより、残留応力が存在するチューブ７０である。
外層７１は、チューブ７０の外周面をコーティングする薄い層であって、中空部の両端を封止したチューブ７０を未硬化の樹脂が入った樹脂槽に浸し、外周面に付着した樹脂を硬化させることにより形成された層である。
また、外層７１は、チューブ７０の外径よりも大きい内径を有する円筒状の型にチューブ７０を内挿し、円筒状の型とチューブ７０との隙間に樹脂を流し込んで成型することにより形成してもよい。
【００６９】
ここで、擬似血管１ｅは、切開部が模擬する動脈等の脈管の厚さとなるように、所定の外径と厚さ、たとえば、外径が１．０ｍｍ、厚さが０．４ｍｍとなるように形成されている。
よって、チューブ７０は、外周側に形成される外層７１の厚みを考慮して、たとえば、外径が０．９ｍｍ、厚さが０．３ｍｍとなるチューブが使用されており、一方で、外層７１は、厚みが０．１ｍｍとなるように形成されている。
【００７０】
以上、擬似血管１ｅの構成を説明したが、擬似血管１ｅによれば、２層構造からなるため、実際の血管構造に近い擬似血管であるといえる。つまり、チューブ７０が血管の中膜（なお、ここでいう「中膜」には、中膜の外側及び内側にある弾性板が含まれるものとする。）に相当するとともに、チューブ７０をコーティングする外層７１が、中膜の外側にある外膜に相当する。したがって、擬似血管１ｅによれば、中膜と外膜とを備えた擬似血管を切開することができ、実際の血管を切開する状態に近い感触を体験できる。
【００７１】
さらに、擬似血管１ｅは、外層７１の厚さ（本実施形態では、０．１ｍｍ）を考慮した分だけ、厚みが小さいチューブ７０を使用している。なお、前述した第１実施形態の擬似血管１によれば、模擬する動脈等の脈管と同程度な厚みを有するチューブ１１を用いられている。よって、擬似血管１ｅによれば、用いるチューブ７０の厚さが薄くなるため、チューブ７０に存在する残留応力が小さくなり、さらには、残留応力が存在しない外層７１により擬似血管１ｅ全体としての引張応力と圧縮応力が弱まり、切開部の拡開と盛り上がりを小さく抑えることができる。
【００７２】
なお、外層７１の材料である樹脂は、熱硬化樹脂、光硬化樹脂などがあげられ、本発明において特に限定されるものでないが、チューブ７０との接着性の観点から、チューブ７０の材料と同じ樹脂であれば、外層７１とチューブ７０との接着性は向上するため、同じ材料の樹脂を使用するのが望ましい。
【００７３】
以上、第１実施形態の擬似血管１の変更例として、擬似血管１ｂ〜１ｅについて説明したが、二つのチューブを組み合わせてなる擬似血管１ａの変更例としては、外側にある第１チューブ２１の内径をより小さくすること、又は、内側にある第２チューブの外径をより大きくすることによって、残留応力を強めることが可能である。
一方で、第２チューブ３１の外径が第１チューブ２１の内径よりも大きいという条件下で、外側にある第１チューブ２１の内径をより大きくすること、又は、内側にある第２チューブの外径をより小さくすることにより、残留応力を弱めることが可能である。
【００７４】
以上、実施形態に係る擬似血管１、１ａと、その変更例の擬似血管１ｂ〜１ｅについて説明したが、本発明は上記説明したものに限定されない。
擬似血管１と擬似血管１ｂ〜１ｅにおいて、チューブ１１、４０、５０、６０、７０は、当初から樹脂を円筒形状に成形してなるチューブを用いていたが、たとえば、図８（ａ）に示すように、平坦なシート部材８０を用いてもよい。
ただし、平坦なシート部材８０を用いる場合には、次のような製造方法により、残留応力が存在するチューブとする必要がある。
【００７５】
平坦なシート部材８０を、図８（ｂ）及び（ｃ）に示すように、平坦なシート部材８０を反らせる（湾曲させる）。そして、図８（ｄ）に示すように、平坦なシート部材８０の両端同士が当接する程度反らせて、シート部材８０を円筒形状とする。そして、円筒形状となったシート部材８０の両端部を接着して、チューブ８１を製造する。
このような製造方法によって製造されたチューブ８１によれば、外周面側において周方向に引張応力が働き、内周面側において周方向に圧縮応力が働いているため、擬似血管１として用いることができる。
【００７６】
そのほか、チューブ８１の製造に関し、平坦なシート部材８０に替えて、図８（ａ）に示すように、一方の面側に向かって中央部が凸となるように湾曲したシート部材８０ａであってもよい。このように当初から湾曲したシート部材８０ａを用いることにより、チューブ８１に生じる残留応力の変更させることが可能となり、切開部が所望の拡開と盛り上がりを有する擬似血管を製造することが可能となる。
【００７７】
なお、湾曲したシート部材８０ａを用いてチューブ８１を製造する場合について簡単に説明する。図８（ｂ）及び（ｃ）に示すように、シート部材８０ａの中央部を他方の面側に向かって凸となるように、徐々に折り曲げる。そして、図８（ｄ）に示すように、両端部が当接する程度折り曲げて、その両端部を接着させる。これによれば、平坦なシート部材８０を用いて製造した場合に比べて、存在する残留応力が大きいチューブ８１を製造することができる。
一方で、チューブ８１に存在する残留応力を小さくしたい場合には、シート部材８０ａの中央部が凸となる向きが変わらないように、折り曲げることによって製造できる。
【００７８】
また、２層構造である擬似血管１ｅに関し、実際の血管構造における内膜に相当するものとして、擬似血管１ｅの内周面側にさらに薄膜である内層を形成してもよい。これによれば、より実際の血管を切開する状態に近い感触を体験することができるからである。
さらに、内層を備えた擬似血管１ｅによれば、用いるチューブ７０の厚さがさらに薄くなるとともに、残留応力が存在しない内層が擬似血管１ｅ全体としての引張応力と圧縮応力を弱めるため、切開部の拡開と盛り上がりをさらに小さく抑えることができる。
【００７９】
その他、具体的な構成について、本発明の主旨を逸脱しない範囲で適宜変更が可能であり、たとえば、上述した実施形態に示した構成を組み合わせてもよい。たとえば、擬似血管１ｄの最も外側に、擬似血管１ｅで示した外層４１を形成してもよい。
【符号の説明】
【００８０】
１、１ａ、１ｂ、１ｃ、１ｄ、１ｅ  擬似血管
２、２ａ、１２、２２、３２  中空部
３      切開部
１１、２１、３１、４０、５０、６０、７０、８１  チューブ（第１チューブ、第２チューブを含む。）
４１、５１    スリット
７１    外層
８０、８０ａ  シート部材
１０１  擬似血管
１０２  中空部
１０３  切開部
【図１】
2012215818.tif 000003
【図２】
2012215818.tif 000004
【図３】
2012215818.tif 000005
【図４】
2012215818.tif 000006
【図５】
2012215818.tif 000007
【図６】
2012215818.tif 000008
【図７】
2012215818.tif 000009
【図８】
2012215818.tif 000010